(57)【要約】【課題】天板等の取付部への取り付け作業を容易に行える取付具を提供すること。【解決手段】挿通孔１７，１８が設けられる固定台座１４と、挿通孔１７，１８にそれぞれ挿通されるボルト２２，２３と、ボルト２２，２３が螺合されるねじ孔３２，３４を備えてボルト２２，２３の締め付けにより固定台座１４と協働して取付部１を挟持可能に設けられるとともに、螺合される第１のボルト２２の軸心を中心に回動可能な押さえ具３０と、固定台座１４に固着され、押さえ具３０に当接して押さえ具３０の回動を規制するガイド部材２０とを備え、押さえ具３０は、押さえ具３０がガイド部材２０に当接した状態において、固定台座１４の複数の挿通孔１７，１８と対向する位置にねじ孔３２，３４が形成されるとともに、固定台座１４と協働して取付部１を狭持可能な位置に位置決めされるように設けた。【選択図】　　図２
2004116095.tif 000002
【特許請求の範囲】
【請求項１】
天板等の取付部に穿設された取付孔に固定されるとともに物品が取り付けられ、周縁に複数の挿通孔が設けられる固定台座と、
該挿通孔にそれぞれ挿通されるボルトと、
該ボルトが螺合されるねじ孔を少なくとも複数備えて該ボルトの締め付けにより前記固定台座と協働して取付部を挟持可能に設けられるとともに、螺合される第１のボルトの軸心を中心に回動可能な押さえ具と、
前記固定台座に固着され、該押さえ具に当接して該押さえ具の回動を規制するガイド部材とを備え、
前記押さえ具は、前記押さえ具が前記ガイド部材に当接した状態において、前記固定台座の複数の挿通孔と対向する位置に前記ねじ孔が形成されるとともに、前記固定台座と協働して取付部を狭持可能な位置に位置決めされることを特徴とする物品の取付具。
【請求項２】
前記第１のボルトの先端部と前記ガイド部材の先端部とが、係止部材を介して互いに固定されたことを特徴とする請求項１に記載の物品の取付具。
【請求項３】
前記押さえ具に設けられた、前記第１のボルトが螺合されるねじ孔以外のねじ孔には、ボルトの先端部を該ねじ孔に案内するための案内用ガイド部が形成されていることを特徴とする請求項１または請求項２に記載の物品の取付具。
【発明の詳細な説明】
【０００１】
【発明の属する技術分野】
本発明は、天板やカウンター等の取付部に開口された取付孔に固定されて水栓本体等の物品が取り付けられる物品の取付具に関する。
【０００２】
【従来の技術】
従来、天板やカウンター等の取付部に開口された取付孔に固定されて水栓本体等の物品が取り付けられる物品の取付具に種々のものが知られている。例えば、図６に示すように、この従来の取付具６０は、円筒部６２の内周面の対向する部位に２つのボルト用の挿通孔６４を設けた固定台座６６と、この挿通孔６４に取り付けられたボルト６８と、略Ｃ字状に形成され、その両端にボルト挿通孔７０が設けられた第２押さえ部材７２と、略Ｃ字状に形成され、その両端にボルトが螺合されるねじ孔が設けられるとともに第２押さえ部材７２の下側に両端が配設される第１押さえ部材７４と、固定台座６２に固着され第１押さえ部材７４の一端側に挿通されたガイド部材７６とが備えられたものである。
【０００３】
固定台座６６には取付孔２よりも大きく形成された鍔部６７が設けられている。第１押さえ部材７４は、一方のボルト６８が螺合され、ガイド部材７６が挿通されることにより、ボルト６８軸心回りに位置決めされており、第１押さえ部材７４の他方の側のねじ孔は、固定台座６６の挿通孔６４に対向した位置に位置決めされている。一方、第２押さえ部材７２は一方のボルト６８の軸心を中心に回動可能にボルト６８に取り付けられている。そして、第２押さえ部材７２を回動させて両押さえ部材７２，７４をすぼませた状態にすると、取付孔２に挿通可能な幅となる一方、両押さえ部材７２，７４を拡開してほぼ環状とした状態では、幅も取付孔２より大きくなる。
【０００４】
このような取付具６０を取付孔２に固定するには、あらかじめ一方のボルト６８のみが、第２押さえ部材７２に挿通され、第１押さえ部材７４に螺合された状態で、両押さえ部材７２，７４をすぼませた状態にして取付孔２裏側に挿通し、固定台座６６を取付部１に載置する。そして、両押さえ部材７２，７４を取付部１表側から拡開して、第２押さえ部材７２のもう一方のボルト挿通孔７０に残りのボルトを挿通するとともに、第１押さえ部材７４のもう一方のねじ孔にこのボルトを螺合する。そしてさらに、取付部１の表側から両ボルトをねじ込んで、両押さえ部材７２，７４を固定台座６６方向に螺進させ、固定台座６６と両押さえ部材７２，７４とで取付孔２周縁の取付部１を狭持固定することにより、取付具６０全体を取付部１に固定する。そして、固定台座６６に物品を固定することにより、取付具６０を介して取付部１に物品が取り付けられることになる。このように、この種の取付具は、取付部１の表側からの作業により取付部１への固定作業が行えるので、カウンター等、作業スペースが充分にとれなかったり、作業の目視が困難なために、取付部の裏側での作業が困難な場合の取付具の取付作業の容易化を図ることができる（特許文献１）。
【０００５】
【特許文献１】
特開２００２−２１１３１号公報（第３、４頁、図１、図３）
【０００６】
【発明が解決しようとする課題】
しかしながら、上記した従来の物品の取付具６０では、以下のような問題が生じていた。取付孔２に両押さえ部材７２，７４を挿通可能とするために、第２押さえ部材７２は、取付孔２に挿通した後、残りのボルトを螺合する前には、当初から螺合されているボルト６８の軸心を中心にして回動自在の状態のままである。したがって、この後に、残りのボルトを第２押さえ部材７２に挿通しようとする際に、第２押さえ部材７２の位置決めが正確に行い難く、両押さえ部材７２，７４への残りのボルトの取付作業が円滑には行えない場合がある。また、第１押さえ部材７４は、当初より固定台座６６に対向する位置に固定されており、このため、取付具６０全体では側面視略「コ字状」をなしている。両押さえ部材７２，７４を取付孔に挿通する際には、図６に示すように、未だボルトが挿通されていない側の両押さえ部材７２，７４の端部から取付孔２に差し込むようにして挿通する必要があり、両押さえ部材７２，７４のボルトが挿通されていない先端部を下にして取付具６０を傾けた状態で、両押さえ部材７２，７４を取付孔２に挿通するのであるが、この際には、固定台座６６のボルトが未だ挿通されていない側の端部が取付部１に近接されることになる。よって、取付孔２周辺に配設されている他の物品や、取付部１の形状によっては取付部１自体に固定台座６６が接触してしまい、両押さえ部材７２，７４を取付孔２に挿通できない場合もあった。
【０００７】
本発明は上記した従来の物品の取付具の問題点を解消するものであり、取付部への取り付け作業を容易に行える取付具を提供することを目的とする。
【０００８】
【課題を解決するための手段】
以上の課題を解決するために、本各発明の採った手段を以下に説明する。本発明の物品の取付具は、天板等の取付部に穿設された取付孔に固定されるとともに物品が取り付けられ、周縁に複数の挿通孔が設けられる固定台座と、該挿通孔にそれぞれ挿通されるボルトと、該ボルトが螺合されるねじ孔を少なくとも複数備えて該ボルトの締め付けにより前記固定台座と協働して取付部を挟持可能に設けられるとともに、螺合される第１のボルトの軸心を中心に回動可能な押さえ具と、前記固定台座に固着され、該押さえ具に当接して該押さえ具の回動を規制するガイド部材とを備え、前記押さえ具は、前記押さえ具が前記ガイド部材に当接した状態において、前記固定台座の複数の挿通孔と対向する位置に前記ねじ孔が形成されるとともに、前記固定台座と協働して取付部を狭持可能な位置に位置決めされることを特徴とするものである（請求項１）。
【０００９】
押さえ具は、第１のボルトの軸心を中心に回動可能に設けられるとともに、ガイド部材によって当接されることにより回動を規制され位置決めされる。そして、この位置決めされた状態で、固定台座の複数の挿通孔と対向する位置にねじ孔が位置するように設けられている。よって、押さえ具を取付孔に挿通し、第１のボルト以外の残りのボルトを押さえ具に螺合する作業の際には、固定台座の挿通孔に挿通された残りのボルトの先端は、押さえ具のねじ孔の位置に正確かつ容易に位置決めされる。
【００１０】
また、押さえ具は、固定台座の周縁に設けられた挿通孔に挿通された第１のボルトの軸心を中心に回動可能に設けられているので、第１のボルトの軸心を中心に押さえ具と固定台座とを反対方向に向けて、取付具全体を側面視略クランク形状とすることができる。取付具をこの状態として、取付具全体とともに押さえ具を傾けてその先端から取付孔に挿通することにより、固定台座は、第１のボルトの軸心を中心に、押さえ具先端とは反対の方向、すなわち取付孔とは反対の方向に位置することとなる。よって、押さえ具を取付孔に挿通する際には、固定台座は、取付孔周辺に配設されている他の物品や取付部自体に接触し難くなる。
【００１１】
また本発明において、「固定台座」は、上記したように取付孔周縁に固定されるベースとなる部材であり、ボルトが挿通される複数の挿通孔が備えられている。「押さえ具」は、例えば平面視略Ｃ字状に形成されて、取付孔周縁に沿って密着することのできる形状とすることができ、その長手方向の少なくとも両端にねじ孔を設ける。「第１のボルト」を固定台座の挿通孔に挿通するとともに、押さえ具のねじ孔の一つに螺合した状態で、押さえ具は、第１のボルトの軸心を中心に螺合されたボルトとともに固定台座に対して回動可能に設けられる。また、押さえ具の回動を規制した状態でボルトをねじ込むことにより、押さえ具が固定台座方向に螺進して取付部に圧着され、固定台座と協働して取付部を狭持し、もって取付具が取付部に固定される。
【００１２】
なお、本取付具においては押さえ具の、ガイド部材に当接する部位は、当接したガイド部材が押さえ具に対して滑らないようにして、ガイド部材による押さえ具の位置決めが正確に行われるように、例えば、ガイド部材が収まる切り欠きや凹部を形成したり、ガイド部が係止される突片などを設けても良い。また「ガイド部材」は、上記したように押さえ具の回動を規制することができれば特に形状等に限定はされないが、例えば、剛性の高い「ピン状」の部材などが好ましい。特に、例えば、取付具に水栓本体を取り付ける場合など、固定台座裏側に可撓管など何らかの部材を配設するための空間が必要とされる場合には、固定台座裏側の空間を不必要に制限せず、かつ、押さえ具の位置決めにも支障を及ぼさないように上記のような部材が好適である。
【００１３】
また、この取付具において、第１のボルトの先端部とガイド部材の先端部とが、係止部材を介して互いに固定されたものとすることもできる（請求項２）。
【００１４】
上記したように、第１のボルトに螺合された押さえ具は、第１のボルトの軸心を中心に回動可能に設けられ、ガイド部材により回動を規制された位置において残りのボルトを螺合できるように位置決めされる。本発明のように係止部材を介して第１のボルトの先端部とガイド部材の先端部とを固定することにより、ガイド部材をより堅固に固定することができる。例えば、押さえ具の回動規制を行うに際してガイド部材に外力が加わっても、ガイド部材はふらつき難く、回動規制のガイドとして確実に機能し、押さえ具の位置決めをより正確に行うことができる。また、「係止部材」は、両先端部を互いに係止できるものであれば特に限定はされないが、例えば、両先端部に係止される板状の部材、クリップなどを例示することができる。
【００１５】
また、押さえ具に設けられた、第１のボルトが螺合されるねじ孔以外のねじ孔には、ボルトの先端部をねじ孔に案内するための案内用ガイド部が形成されるものとしても良い（請求項３）。このように構成することにより、ガイド部材により位置決めされた押さえ具に残りのボルトを螺合する際に、ボルト先端部を押さえ具のねじ孔に確実に案内することができる。「案内用ガイド部」は、上記したようにボルトの先端部をねじ孔に案内するものであるが、その形状などは特に限定されず、皿穴とすることや、ねじ孔周縁に突片など設ける例を例示することができる。
【００１６】
【発明の実施の形態】
次に、本発明の物品の取付具の実施の形態を図を参考にして詳細に説明する。図１及び図４に示すように、この物品の取付具１０は、流し台等の天板やカウンター等の取付部１の取付孔２に取り付けられ、その上部に水栓本体（図示省略）が固定され、水栓本体に接続された配管をその内部の配管挿通孔１９に挿通させて、取付部１裏側の配管端末具（図示省略）と水栓本体とを接続するものである。
【００１７】
図１に示すように、取付具１０には、取付部１の表側に露呈されて取付孔２に固定される略円筒状の固定台座１４と、固定台座１４から突設されたピン状のガイド部材２０と、固定台座１４に設けられた２つの挿通孔のうちの１つの挿通孔１７に挿通されたボルト２２（本発明でいう「第１のボルト」に相当）と、このボルト２２に螺合される押さえ具３０とが備えられている。
【００１８】
固定台座１４には、略円筒形状に形成された本体１６が備えられており、この本体１６の下端に鍔部１２が周設されている。この鍔部１２は取付孔２よりも大径に形成されており、後述するように、押さえ具３０と協働して取付孔２の周縁を狭持固定するように設けられている。本体１６内部には、固定台座１４上部に取り付けられる水栓本体に接続される可撓管などが挿通される配管挿通孔１９が設けられている。また、本体１６の周縁の内壁には、本体１６軸心を中心にしてほぼ対向する位置に、本体１６の軸心と平行にボルトが挿通される２つの挿通孔１７，１８が設けられている。
【００１９】
固定台座１４裏側には、一方の挿通孔１７に近接した位置に、ピン状のガイド部材２０が突設して固着されている。また、挿通孔１７には、あらかじめ頭２４付きのボルト２２が挿通されて、固定台座１４に仮止めされている。そして、このボルト２２の先端寄りには、平面視略Ｃ字状の板状の押さえ具３０が螺合されている。この押さえ具３０は、ボルト２２に螺合されているとともに、ボルト２２とともに固定台座１４に対して、図１に示す矢印に沿って回動可能に設けられている。
【００２０】
押さえ具３０は、取付孔２の周縁に当接可能な大きさ・曲率のＣ字状に形成され、その長手方向の長さは取付孔２の内径よりも大きく設けられており、後述するように、取付孔２の周縁に密着できるような形状に設けられている。また、押さえ具３０の平面視内側には、押さえ具３０を回動させた際に、ガイド部材２０が当接されて係止される切り欠き状の当接部３６が形成されている。押さえ具３０の両端には、ボルトが螺合されるねじ孔３２，３４が設けられており、固定台座１４の挿通孔１７に挿通されたボルト２２は、あらかじめ一方のねじ孔３２に螺合されている。また、反対側のねじ孔３４は、後述するボルト２３が螺合される皿穴とされており、ねじ孔３４の周縁部に内方に向かって下さがりとされた傾斜面が案内用ガイド部３８として設けられ、ボルト２３の先端部がねじ孔３４に円滑に導かれるように設けられている。なお、ねじ孔３４が設けられる部位を押さえ具３０上面よりも低く設けるとともに、このねじ孔３４周縁の一部に、押さえ具３０上面よりも低く突設された突片を設けて案内用ガイド部としても良い。そして、押さえ具３０はガイド部材２０に当接して回動が規制される位置において、そのねじ孔３２，３４がそれぞれ固定台座１４の挿通孔１７，１８に対向する位置となるように設けられており、後述するように、ガイド部材２０に押さえ具３０を当接するだけで、ボルト２３を挿通孔１８にそのまま挿通していけば、ボルト２３の先端がねじ孔３４に容易かつ確実に導かれる。なお、ねじ孔の位置は押さえ具３０の両端である必要はなく、一方に片寄った位置に設けられていても良いし、ねじ孔の数は２個以上であっても良い。
【００２１】
ボルト２２の先端部及びガイド部材２０の先端部には板状の係止板４０が挿通されて取り付けられ、ボルト２２とガイド部材２０とがその先端において固定されている。図５に示すように、係止板４０にはガイド部材２０及びボルト２２が挿通固定される挿通孔４４，４６が設けられている。ボルト２２の先端寄りには、周溝４８が形成されており、この周溝４８にＥリング５０がはめ込まれている。Ｅリング５０の外径は係止板４０の挿通孔４６より大きく形成されており、周溝４８にはめ込まれたＥリング５０よりも固定台座１４側に挿通された係止板４０が、このＥリング５０により、ボルト２２から抜け落ちないように設けられている。なお、係止板４０の抜け落ち防止には、ボルト２２の先端寄りに周溝４８の代わりに、ピン孔をボルト２２の軸心の直角方向に設け、ピン孔にだるまピン等を挿入しても良いし、ボルト２２の先端寄りには何も加工しないで袋ナットやダブルナットを締め付けて抜け落ち防止をしても良い。
【００２２】
次いで、上記のように構成された取付具１０の取付部１への取付方法について説明する。図１に示す状態から、図２に示すように、押さえ具３０をその先端側（ねじ孔３４側）をボルト２２を中心に反対方向に回動させる。この状態で、押さえ具３０をその先端側から取付孔２裏側に挿通させる。押さえ具３０の長さは取付孔２の内径よりも大きく形成されているので、押さえ具３０を取付孔２に対して横向きにした状態では、押さえ具３０は取付孔２に挿通することが出来ない。よって、押さえ具３０の先端側を斜め下に向けるように取付具１０全体を傾けて、押さえ具３０の先端側から取付孔２に挿通する。この際には図２に示すように、固定台座１４の挿通孔１８側は、押さえ具３０の先端側とは、ボルト２２の軸心を挟んで反対方向に位置しているので、取付部１に対して上方に持ち上げられることとなり、取付孔２周辺に他の水栓部品などが設置してあっても、干渉され難い。
【００２３】
次いで、図３に示すように、固定台座１４を取付部１に対して正立させて固定台座１４を取付部１上に載置する。そして、当接部３６がガイド部材２０に当接するまで押さえ具３０を回動して押さえ具３０の位置決めを行った後に、残りのボルト２３を固定台座１４の挿通孔１８に挿通し、さらにねじ孔３４に螺合する。この際に、ガイド部材２０はその先端がボルト２２に連結固定された状態となっているため、押さえ具３０の回動規制を行うに際してガイド部材２０に外力が加わっても、ふらつき難く、回動規制のガイドとして確実に機能する。このように、押さえ具３０はガイド部材２０により適切に位置決めがなされているので、ボルト２３を挿通孔１８に挿通していくと、案内用ガイド部３８にも導かれて、ボルト２３の先端部は、挿通孔１８に対向するねじ孔３４に極めて円滑に嵌入される。
【００２４】
そして、ボルト２２，２３をねじ孔３２，３４にねじ込むことにより押さえ具３０を固定台座１４側に徐々に螺進させ、鍔部１２とで取付部１を狭持する。このようにして、取付具１０が固定部に堅固に固定される。そしてさらに、固定台座１４上部に水栓本体を固定して、水栓本体の取付部１への固定が完了する。
【００２５】
以上、本発明に係る物品の取付具１０の実施形態を説明したが、本発明はこれに限られることなく特許請求の範囲の主旨の範囲内で種々の変更が可能である。なお、上記した実施の形態から把握できる特許請求の範囲記載の取付具以外の技術的思想について以下に説明する。上記実施の形態では、押さえ具３０にはねじ孔３２，３４を設けることとしたが、「第１のボルトが螺合されるねじ孔と、このねじ孔以外には、固定台座の挿通孔に挿通される棒状の部材等を挿通して押さえ具を係止可能に設けられた係止孔を設けた押さえ具を備えた取付具」とすることもできる。上記実施の形態を例に挙げると、取付具１０では、押さえ具３０にねじ孔３４も設けることとして押さえ具３０の２箇所においてボルトを螺合することにより、より堅固に取付具１０を固定しているが、取付具１０に対する外力がさほど大きくないと思われる場合には、ねじ孔を１箇所にとどめて第１のボルトのみにより押さえ具を締結しても良い。この場合においても、取付具を設置後に、取付具への何らかの外力により取付部１裏側に圧着される押さえ具が位置ズレを起こすことを防止するために、押さえ具に、固定台座の挿通孔に挿通される棒状の部材を挿通する係止孔を設けて押さえ具の位置ズレを防止することができる。そしてこの取付具においても、ガイド部材を上記取付具１０のように設け、押さえ具を適切に位置決めすることにより、押さえ具の係止孔への部材の挿通作業を円滑に行うことができる。また同様に、係止孔に案内用ガイド部を設けることにより、より一層円滑に部材を挿通できる。
【００２６】
【発明の効果】
本発明に係る水栓部品取付具は、上記のように、押さえ具は、第１のボルトの軸心を中心に回動可能に設けられるとともに、押さえ具がガイド部材に当接した状態において、固定台座の複数の挿通孔と対向する位置にねじ孔が形成されるとともに、固定台座と協働して取付部を狭持可能な位置に位置決めされる（請求項１）ので、取付部への取り付け作業を容易に行うことができる。また、第１のボルトの先端部とガイド部材の先端部とが、係止部材を介して互いに固定されたものとすること（請求項２）により、より正確に押さえ具の位置決めを行うことができ取付作業をより容易とすることができる。また、押さえ具に設けられた、第１のボルトが螺合されるねじ孔以外のねじ孔には、ボルトの先端部をねじ孔に案内するための案内用ガイド部が形成されるものとすることにより（請求項３）、さらに取付部への取り付け作業を容易に行うことができる。。
【図面の簡単な説明】
【図１】物品の取付具の斜視図である。
【図２】取付具を取付孔に挿通する状態を示す取付具の斜視図である。
【図３】取付具にボルトを挿通する状態を示す取付具の斜視図である。
【図４】ボルトを押さえ具に螺合した状態の取付具の斜視図である。
【図５】係止部材の縦断面図（ａ）及び底面図（ｂ）である。
【図６】従来の取付具の斜視図である。
【符号の説明】
１；取付部、２；取付孔、１０；取付具、１２；鍔部、１４；固定台座、１６；本体、１７，１８；挿通孔、１９；配管挿通孔、２０；ガイド部材、２２，２３；ボルト、２４；頭、３０；押さえ具、３２，３４；ねじ孔、３６；当接部、３８；案内用ガイド部、４０；係止板、４４，４６；挿通孔、４８；周溝、５０；Ｅリング、６０；取付具、６２；円筒部、６４；挿通孔、６６；固定台座、６７；鍔部、６８；ボルト、７０；ボルト挿通孔、７２；第２押さえ部材、７４；第１押さえ部材、７６；ガイド部材。
【図１】
2004116095.tif 000003
【図２】
2004116095.tif 000004
【図３】
2004116095.tif 000005
【図４】
2004116095.tif 000006
【図５】
2004116095.tif 000007
【図６】
2004116095.tif 000008